(57)【要約】  第1流体(A)及び第2流体(B)を有し、各流体は非混和であって、各異なる屈折率を有し、前記可変焦点レンズのレンズ機能を選択的に制御できることを特徴とする型の可変焦点レンズ。二の流体(A)及び(B)の屈折率は異なり、2流体の屈折率差が比較的大きい場合に、良好なズーム機能を得る上で非常に有利となる。高い屈折率を有する（約1.7よりも大きな値）油は無色でない代わりに、黄色になる傾向がある。しかしこのことによって、物体それ自体と比較すると、その像は色変化を起こしてしまう。この問題は、物体それ自体と比較して生じた像の色変化を補正すなわち補償することで解決される。補償方法は、第1流体及び/又は第2流体として無色ではない流体の、上述の型の可変焦点レンズへの使用である。
2007531052.tif 000002
【特許請求の範囲】
【請求項１】
第1流体及び第2流体を有し、
前記流体はそれぞれ異なる屈折率を有し、
前記可変焦点レンズのレンズ機能は選択的に制御可能であって、
前記流体のうちの少なくとも一は非無色で、
前記レンズはさらに、前記非無色流体を使用した結果生じる、物体それ自体に対する前記物体像の色変化を補正する手段を有する、
ことを特徴とする可変焦点レンズ。
【請求項２】
前記非無色流体が前記像の色へ及ぼす影響に対抗するため、前記色変化補正手段は、前記非無色流体に加えられる色素又は同様の染色材料を有することを特徴とする、請求項1に記載のレンズ。
【請求項３】
前記非無色流体が前記像の色へ及ぼす影響に対抗するため、前記色変化補正手段は、光路中に設けられるカラーフィルタ手段を有することを特徴とする、請求項1又は2に記載のレンズ。
【請求項４】
前記色変化補正手段は、前記非無色流体とは別の流体に加えられる色素又は同様の染色材料を有することを特徴とする、請求項1から3のうちのいずれか1つに記載のレンズ。
【請求項５】
前記の色素又は他の染色材料は、前記非無色流体と実質的に同一の色吸収レベル及び色吸収型を有することを特徴とする、請求項4に記載のレンズ。
【請求項６】
前記流体のチャンバ内壁は、前記非無色流体の厚さがメニスカスの形状に依らず実質的に同一になるような形状をとることを特徴とする、請求項1から5のうちのいずれか1つに記載のレンズ。
【請求項７】
前記非無色流体は1.5より大きな屈折率を有する液体であることを特徴とする、請求項1から6のうちのいずれか1つに記載のレンズ。
【請求項８】
前記の非無色流体の屈折率は1.7より大きいことを特徴とする、請求項7に記載のレンズ。
【請求項９】
前記非無色流体は1.5より大きな屈折率を有する油を有することを特徴とする、請求項7又は8に記載のレンズ。
【請求項１０】
前記非無色流体は1.7より大きな屈折率を有することを特徴とする、請求項11に記載のレンズ。
【請求項１１】
前記非無色流体は、黄色、赤色又は茶色であることを特徴とする、上記請求項のうちのいずれか1つに記載のレンズ。
【請求項１２】
前記第2流体は前記第1流体から軸方向に変位し、
前記流体はメニスカス上で接触し、
前記レンズはさらに第1電極及び第2電極を有し、
前記メニスカスの形状は、前記第1電極及び前記第2電極との間の電圧印加に依存して制御することができる、
ことを特徴とする、請求項1から11のうちのいずれか1つに記載のレンズ。
【請求項１３】
実質的に円柱状の流体チャンバ及び、前記円柱の内壁に備えられている流体接触層を有する、請求項12に記載のレンズ。
【請求項１４】
前記第1電極は、前記流体接触層によって、前記第1流体及び前記第2流体から隔離され、
前記第2電極は、前記第2流体に作用するように備えられている、
ことを特徴とする、請求項13に記載のレンズ。
【請求項１５】
前記メニスカス形状が前記第1電極と前記第2電極との印加される電圧に依存して変化するように、前記流体接触層は、前記電圧で変化する、前記第2流体に対する濡れ性を有するように備えられていることを特徴とする、請求項13又は14に記載のレンズ。
【請求項１６】
前記第1電極と前記第2電極との間に電圧が印加されないとき、前記第2流体に対する前記流体接触層の濡れ性は、前記メニスカスと前記流体接触層との共通部分の両側で実質的に等しいことを特徴とする、請求項13から15のうちのいずれか1つに記載のレンズ。
【請求項１７】
前記第1流体は絶縁性流体を有し、かつ、
前記第2流体は導電性液体を有する、
ことを特徴とする、請求項13から15のうちのいずれか1つに記載のレンズ。
【請求項１８】
少なくとも一の側壁によって画定されるチャンバを有し、
前記側壁は前記チャンバの縦方向に延在する光軸を有し、
前記チャンバは、互いがメニスカス上で接している前記流体を含み、
前記レンズはさらに、前記チャンバ内部に含まれる各前記流体の相対容積を変化させる少なくとも1つのポンプを有する、
ことを特徴とする、請求項1から12のうちのいずれか1つに記載のレンズ。
【請求項１９】
前記メニスカス周辺は前記側壁による制約を受け、かつ、
前記少なくとも一のポンプは、前記チャンバ内部に含まれる各前記流体の相対容積を変化させることで、前記光軸に沿って前記メニスカス位置を制御可能に変化させるように備えられている、
ことを特徴とする、請求項18に記載のレンズ。
【請求項２０】
前記メニスカス周辺は前記チャンバの内側表面上に固定した状態で設けられ、かつ、
前記少なくとも1つのポンプは、前記チャンバ内部に含まれる各前記流体の相対容積を変化させることで前記メニスカス形状を制御可能に変化させるように備えられている、
ことを特徴とする、請求項18に記載のレンズ。
【請求項２１】
前記チャンバ内部表面の濡れ性は縦方向で変化し、かつ、エレクトロウエッティング効果によって制御可能なように備えられていることを特徴とする、請求項18から20のうちのいずれか1つに記載のレンズ。
【請求項２２】
放射ビーム設定用の可変ズームを供するように備えられ、
第1モード及び第2モードを有する切り替え可能な光学素子を有し、
前記素子は、前記第1流体、前記第2流体及び、前記放射線が通過する部分を有する波面調節器を有し、
前記第1モードでは、前記切り替え可能な光学素子は、前記部分が前記第1流体によって実質的に被覆されている第1流体配置を有し、
前記第2モードでは、前記切り替え可能な光学素子は、前記部分が前記第2流体によって実質的に被覆されている第2流体配置を有する、
ことを特徴とする、請求項1から12のうちのいずれか1つに記載のレンズ。
【請求項２３】
前記切り替え可能な光学素子は、共通の第1流体電極、第2の異なる流体電極及び、第3の異なる流体電極を有し、
前記第1流体配置では、前記素子は、前記第1流体電極及び前記第2流体電極に第1電圧を印加することで、切り替え可能なエレクトロウエッティング力を供するように備えられ、前記第2流体配置では、前記素子は、前記第1流体電極及び前記第3流体電極に第2の異なる電圧を印加することで、異なる切り替え可能なエレクトロウエッティング力を供するように備えられている、
ことを特徴とする、請求項22に記載のレンズ。
【請求項２４】
第1流体及び第2流体を有する可変焦点レンズを有し、
前記流体はそれぞれ異なる屈折率を有し、
前記可変焦点レンズのレンズ機能は選択的に制御可能であって、
前記流体を通過し、物体それ自体に対する前記物体像の色変化を引き起こす光ビームの少なくとも一部を吸収するため、前記流体のうちの少なくとも一は非無色で、
さらに前記色変化を補正する手段を有する、
ことを特徴とする光学系。
【請求項２５】
電子像センサを有し、
前記非無色流体によって前記像の色変化の効果に対抗するため、前記像のホワイトバランスを電子的に調節する手段が供される、
ことを特徴とする、請求項24に記載の光学系。
【請求項２６】
絞りが、前記第1流体と前記第2流体との間にある前記メニスカスの位置に比較的近接するように備えられることを特徴とする、請求項24又は25に記載の光学系。
【請求項２７】
請求項2から16のうちのいずれか1つに記載の可変焦点レンズを組み込む、請求項24から26のうちのいずれか1つに記載の光学系。
【請求項２８】
請求項１から16のうちのいずれか1つに記載の可変焦点レンズ又は、請求項24から26のうちのいずれか1つに記載の光学系を有する撮像装置。
【請求項２９】
光記録キャリアを走査する光学走査装置であって、
請求項１から23のうちのいずれか1つに記載の可変焦点レンズ又は、請求項24から28のうちのいずれか1つに記載の光学系を有する光学走査装置。
【発明の詳細な説明】
【技術分野】
【０００１】
本発明は、第1流体及び第2流体を有し、各流体の屈折率は異なり、レンズ機能を選択的に制御することが可能であることを特徴とする可変焦点レンズに関する。
【背景技術】
【０００２】
流体とは以下のような性質を有する物質である。1.力に応答してその形状を変化させる、2.流動すなわちチャンバの外形に合わせようとする、そして、3.気体、液体及び流動可能な固体と液体との混合物が含まれる。さらに、可変焦点レンズのレンズ機能とは一以上の波長の光の焦点を合わせる（集束又は発散）能力のことである。
【０００３】
特許文献1は、円柱壁及び軸を有する実質的に円柱状のチャンバを有する型の可変焦点レンズであって、流体チャンバは第1流体及び軸方向に変位する第2流体を有し、流体同士はメニスカス全面で非混和であって、各屈折率が異なっていることを特徴とする可変焦点レンズについて開示している。流体接触層は円柱内壁に設けられている。レンズはさらに、第1流体及び流体接触層側の第2層によって隔離されている第1電極、及び第2流体に作用する第2電極を有する。流体接触層は、流体接触層の第2流体に対する濡れ性(wettability)を有する。その濡れ性の性質により、メニスカスの形状が電圧印加に依存して変化し、かつ第1電極と第2電極との間に電圧が印加されないとき、接触層とメニスカスとの共通部分の両側で、流体接触層の第2流体に対する濡れ性は実質的に等しくなる。
【０００４】
共通部分の両側における流体接触層の濡れ性が等しいことで、メニスカスをより大きく変位させることが可能となり、その結果、メニスカスの曲率がより大きく変化する。それにより、凹面メニスカスが凸面メニスカスに変化し、またその逆も可能となる。
【特許文献１】国際公開第03/069380号パンフレット
【特許文献２】欧州特許出願公開第03101328.7号明細書
【特許文献３】欧州特許出願公開第03101335.2号明細書
【特許文献４】欧州特許出願公開第04100025.8号明細書
【発明の開示】
【発明が解決しようとする課題】
【０００５】
上述の一の典型的実施例では、第1液体は“油”状の絶縁性液体を有し、第2液体は導電性液体、つまり電解質を有する。上述のように、二の流体の屈折率は異なり、良好なズーム機能を得る上では二の流体の屈折率差が比較的大きな場合に特に有利となる。その際、非導電性液体（たとえば油）は導電性流体（つまり電解質）よりも高い屈折率を有する傾向にあることに留意する。高屈折率（約1.7を超えた値）を有する油の多くは無色ではなく、黄色になる傾向がある（たとえば二硫化セレンの場合であれば、屈折率n=1.85で、その色は黄色である）。しかしこれにより、物体それ自体に対し物体像の色が変化してしまい、それによってエレクトロウエッティング型可変焦点レンズに使用可能な高屈折率の油が制限されてしまう。
【０００６】
他の型の可変焦点レンズでは、少なくとも二の液体を使用に基づくもの、及び、水又は油/空気のいずれかで満たされたバイナリレンズに基づくものが既知である。
【０００７】
ここで、これまで鳥瞰してきた問題を克服する配置を提案する。本発明の目的は、第1流体と第2流体を有する型の可変焦点レンズであって、非無色流体の使用によって生じる、物体それ自体に対する物体像の色変化を補償することを特徴とする可変焦点レンズの提供である。本発明はまた、第1流体及び第2流体を有する型の可変焦点レンズにおいて非無色流体を使用することによって生じる、物体それ自体に対する物体像の色変化を補償する方法の提供をも目的とする。
【課題を解決するための手段】
【０００８】
本発明に従うと、第1流体及び第2流体を有し、当該二の流体はそれぞれ異なる屈折率を有し、当該可変焦点レンズのレンズ機能は選択的に制御可能であって、当該流体のうちの少なくとも一は非無色で、レンズはさらに、非無色の流体を使用した結果生じる、物体それ自体に対する物体像の色変化、を補正する手段を有することを特徴とする、可変焦点レンズが供される。
【０００９】
また本発明に従うと、第1流体及び第2流体を有する可変焦点レンズを含み、流体の各屈折率は異なり、可変焦点レンズのレンズ機能は選択的に制御可能であって、当該流体のうちの少なくとも一は通過する光ビームの少なくとも一部を吸収するために非無色であって、物体それ自体に対する物体像の色変化を引き起こすことを特徴とする光学系であって、さらに当該色変化を補正する手段を有することを特徴とする光学系が供される。
【００１０】
光学系が電子像センサを有するような典型的な実施例では、非無色流体による像の色への効果に対抗するため、像のホワイトバランスを電子的に調節する手段が供される。
【００１１】
別な典型的実施例では、像の色への効果に対抗するため、色素又は同様の染色材料を非無色流体に加えて良い。その代わりに、又はそれに加えて、非無色流体の像の色への影響に対抗するため、適切なカラーフィルタ手段を光路中に設けて良い。メニスカスの形状が変化するのに伴って、非無色流体の厚さが変化するという事実ゆえ、電子色調節もまた、この場合では適切となるだろう。
【００１２】
さらに別な典型的実施例では、色素又は同様の染色材料を、非無色流体ではない流体中に溶解させて良い。色素又は他の染色材料は、非無色流体と実質的に同一レベルかつ同一の色吸収特性を有する。
【００１３】
本発明に従った可変焦点レンズを組み込む光学系は、その光学系の絞りが、第1流体と第2流体との間にあるメニスカスの位置に比較的近接するように構成されて良い。さらに、第1流体と第2流体とが格納されている容器の壁は、非無色流体層の厚さがメニスカスの形状に依らず実質的に同一となり、センサ全体については、単一色補正の程度及び方法が使用可能であるような形状にして良い。
【００１４】
本発明が、エレクトロウエッティング型可変焦点レンズを含む撮像装置での用途を見いだし、携帯電話などのような携帯通信装置に供される撮像装置及びカメラモジュールでの使用に特に適していることは明らかである。
【００１５】
一の典型的実施例では、第2流体は第1流体から軸方向に変位して良く、二の流体はメニスカス上で接触し、レンズはさらに第1電極及び第2電極を有し、メニスカスの形状は、第1電極及び当該第2電極との間の電圧印加に依存して制御することができる。
【００１６】
この場合では、可変焦点レンズは実質的に円柱形状の流体チャンバを有し、流体接触層は円柱内壁に備えられているのが好ましい。第1電極は、流体接触層によって、第1流体及び第2流体から隔離されているのが好ましく、第2電極は第2流体に作用するように構成されているのが好ましい。流体接触層は、第1電極と第2電極との間の電圧印加で変化する、第2流体に対する濡れ性を有するように有利に備えられている。それにより、メニスカスの形状が当該電圧に依存して変化する。好適実施例では、第1電極と第2電極との間に電圧が印加されていないときの、第2流体に対する流体接触層の濡れ性は、流体接触層を有するメニスカスの共通部分の両側で等しい。
【００１７】
別な典型的実施例では、レンズはチャンバ縦方向に延在する光軸を有する少なくとも一の側壁によって画定されるチャンバを有して良く、チャンバは、互いがメニスカス上で接している流体を含み、レンズはさらに、チャンバ内部に含まれる各流体の相対容積を変化させる少なくとも1つのポンプを有する。第1の特定配置では、メニスカス周辺は側壁による制約を受けて良く、前記少なくとも1つのポンプは、チャンバ内部に含まれる各流体の相対容積を変化させることで、光軸に沿ったメニスカスの位置を制御可能に変化させるように備えられている。他の特定配置では、メニスカス周辺はチャンバ内側表面上に固定した状態で設けられていて良く、前記少なくとも1つのポンプは、チャンバ内部に含まれる各流体の相対容積を変化させることでメニスカス形状を制御可能に変化させるように構成されている。
【００１８】
この場合、チャンバ内部表面の濡れ性は、縦方向に変化するのが好ましく、エレクトロウエッティング効果によって制御可能に変化するように備えられているのが最も好ましい。
【００１９】
またさらに別な実施例では、レンズは放射ビームを設定する可変ズームを提供するように備えられて良く、第1モードと第2モードを有する切り替え可能な光学素子を有するのが好ましく、当該素子は、第1流体、第2流体及び、放射線が通過するように備えられている部分を有する波面調節器を含む。ここで、第1モードでは、切り替え可能な光学素子は、その部分が実質的に第1流体によって被覆されている第1流体配置を有し、第2モードでは、切り替え可能な光学素子は、その部分が実質的に第2流体によって被覆されている第2の異なる流体配置を有する。
【００２０】
この場合、切り替え可能な光学素子は、共通の第1流体電極、第2の異なる流体電極及び第3のさらに異なる流体電極を有することが好ましい。ここで、第1流体配置では、素子は、第1電圧を当該第1流体電極と当該第2流体電極に印加することで、切り替え可能なエレクトロウエッティング力を提供するように備えられていて、第2流体配置では、素子は、第2の異なる電圧を当該第1流体電極と当該第3流体電極に印加することで、異なる切り替え可能なエレクトロウエッティング力を提供するように備えられている。
【００２１】
すべての場合において、第1流体と第2流体とは有利に非混和、つまり混じり合わない状態である。
【００２２】
第1流体は絶縁性流体を有することが好ましく、第2流体は導電性液体を有することが好ましい。絶縁性流体の屈折率は、導電性流体の屈折率よりも高いことが好ましく、有利に非無色流体を有する。非無色流体は有利に1.5より大きな値の屈折率を有する液体であって、エレクトロウエッティング型であれば1.7よりも大きな値である。非無色流体は有利に屈折率の値が1.5より大きな油を有し、エレクトロウエッティング型であれば1.7よりも大きな値である。非無色流体は黄色、茶色又は赤色であることが好ましいが、黄色が最も好ましい。
【００２３】
本発明は上述の可変焦点レンズ又は光学系を有する撮像装置にまで及ぶ。本発明はまた、光記録キャリアを走査する光学走査装置にも及ぶ。光学走査装置は、上述の可変焦点レンズ又は光学系を有する。
【００２４】
本発明のこれら及び他の態様は、以降で説明する実施例を参照することで明らかとなる。
【実施例】
【００２５】
ここで、本発明の実施例について、ただの例示として添付の図を参照することで説明する。
【００２６】
最初に特許文献1で説明されている可変焦点（すなわち“エレクトロウエッティング”）レンズについて説明する。図1から図3は、毛細管を形成する円柱状の第1電極2を有し、透明前部素子4及び透明後部素子6によって密閉されている可変焦点レンズを図示している。密閉されることで、二の流体を有する流体チャンバ5を形成する。電極2は管内壁に塗布された導電性コーティングであって良い。
【００２７】
この典型的な設計では、二の流体は、たとえばシリコーン油又はアルケンのような絶縁性第1液体A、ここでは以降“油”と表記する、及び、たとえば食塩水を含む水のような導電性液体Bの形式を有する二の非混和性液体から構成される。二の液体は、レンズが流体の配向とは独立に機能する、つまり二の流体間の重力による効果に依存しないように、等密度になるように備えられて良い。これはたとえば、第1液体成分を適切に選択することで実現できる。たとえば、アルケン又はシリコーン油に分子成分を加えることで調節し、その濃度を食塩水の濃度と適合させることが可能である。この例では流体は、第1流体Aが第2流体Bよりも高い屈折率を有するように選ばれる。
【００２８】
第1電極2は典型的には1mmから20mmの内部半径を有する円柱である。電極2は金属材料で構成され、たとえばパリレンによって構成される絶縁層8によってコーティングされる。絶縁層は、流体接触層10でコーティングされる。流体接触層10は、流体チャンバの円柱壁に対する、メニスカスの接触層におけるヒステリシスを減少させる。第1電極と第2電極との間に電圧が印加されていないとき、第2流体に対する流体接触層の濡れ性は、メニスカス14と流体接触層10との共通部分の両側において実質的に等しい。
【００２９】
第2の環状電極12は、流体チャンバの一の終端部に備えられている。この場合であれば後部素子の隣である。第2電極12が第2流体Bに作用するように、電極12は流体チャンバの少なくとも一部と共に備えられる。二の流体A及びBは、メニスカス14によって二の流体が分離されるように非混和性である。第1電極と第2電極との間に電圧を印加しないときに、流体接触層の濡れ性は、第2流体Bに対してよりも第1流体Aに対する方が大きくなる。エレクトロウエッティングのため、第2液体Bに対する濡れ性は、第1電極と第2電極との間の電圧印加によって変化する。これは、3相線（流体接触層10と二の流体A及びBとの間の接触線）でのメニスカスの接触角を変化させようとする。よってメニスカスの形状は印加電圧に依存して変化する。
【００３０】
この段階では、第2流体から見てメニスカスがくぼんでいる場合には、第1流体と第2流体との間のメニスカスは凹面と呼ばれることに留意しなくてはならない。第1流体がレンズと見なされる場合、先述の定義に従い、このレンズは通常凹面と呼ばれる。
【００３１】
図1を参照すると、低電圧V1、たとえば0[V]から20[V]、が電極間に印加されるとき、メニスカスは第1凹面メニスカス形状をとる。この配置では、流体Bで測定された、メニスカスと流体接触角10との間の初期接触角θ1はたとえば約140°である。第1流体Aの屈折率が第2流体Bの屈折率よりも高いため、メニスカスによって形成されるレンズ、ここではこれをメニスカスレンズと呼ぶ、はこの配置で比較的大きな負の屈折力を有する。
【００３２】
メニスカス形状の凹面性を減少させるためには、第1電極と第2電極との間により高電圧が印加される。図2を参照すると、中程度の電圧V2、たとえば20[V]から150[V]で絶縁層の厚さに依存する、が電極間に印加されるとき、メニスカスは、図1のメニスカスと比較して増大した曲率半径を有する第2凹面メニスカス形状をとる。この配置では、第1流体Aと流体接触角10との間の中程度の接触角θ2はたとえば約100°である。第1流体Aの屈折率が第2流体Bの屈折率よりも高いため、この配置でのメニスカスレンズは比較的小さな負の屈折力を有する。
【００３３】
凸面メニスカス形状を形成するためには、第1電極と第2電極との間にさらに大きな電圧が印加される。ここで図3を参照すると、比較的高い電圧V3、たとえば150[V]から200[V]、が電極間に印加されるとき、メニスカスは凸面メニスカス形状をとる。この配置では、第1流体Aと流体接触角10との間の最大接触角θ3はたとえば約60°である。第1流体Aの屈折率が第2流体Bの屈折率よりも高いため、この配置でのメニスカスレンズは正の屈折力を有する。
【００３４】
図4Aは、未刊行の特許文献2で説明されている型の可変レンズを図示している。レンズ100は、二の明確に異なる素子から構成されているものと見なすことができる。レンズ機能は、二の流体AとBとの間にあるメニスカス150及び、レンズ機能の形状を変化させるように設けられているポンプ110で構成されている。
【００３５】
上述のように、流体とは以下のような性質を有する物質である。1.力に応答してその形状を変化させる、2.流動すなわちチャンバ外形に合わせようとする、そして、3.気体、液体、蒸気及び流動可能な固体と液体との混合物が含まれる。
【００３６】
二の流体A及びBは、実質的に非混和つまり、二の流体は混じり合わない。二の流体A及びBはそれぞれ異なる屈折率を有する。よって、流体がそれぞれ異なる屈折率を有するため、レンズ機能は二の流体が接触する領域に沿って形成されるメニスカス150によって供される。レンズ機能とは、メニスカス150が一以上の波長の光の焦点を合わせる（集束又は発散）させる能力のことである。この特別な実施例では、流体Aの屈折率は流体Bの屈折率よりも大きいものとする。
【００３７】
レンズ100への重力効果を最小限にするため、二の流体の密度は実質的に等しいことが好ましい。
【００３８】
流体A及び流体Bはチャンバ125内に密閉されている。この実施例では、チャンバ125は長手方向に延在する管の形状をとり、管は内部面120によって画定される側壁を有する。光軸は管の長手方向を通り抜けて延在する。この特別な実施例では、管は、断面が一定の円である円柱管であって、光軸は管の軸と共軸である。流体を密閉するチャンバ125を形成するため、付加的壁121及び付加的壁122は管終端部まで延在する。光軸90に沿って横たわっているチャンバ125の壁121及び壁122の少なくとも一部は透明である。所望であれば、これらの壁121及び122のうちのいずれか1つ又は両方はレンズ形状であって良い。
【００３９】
二の流体AとBとの間のメニスカス150はレンズ100の光軸90を横切るように延在する。横切る、という語は、メニスカスが光軸と交差（するように延在）し、メニスカスは光軸と平行にはならないことを意味する。メニスカス150は管の側壁120によって画定される。
【００４０】
典型的には、流体A及び流体Bをチャンバ125内の所望の部分に設置するためには、チャンバの各異なる領域は、各流体が各対応する領域で引きつけられるように、各流体に対して各異なる濡れ性を有することになる。濡れ性とは、領域が流体によって濡れる（被覆される）程度を意味する。たとえば、流体Aが水で、流体Bが油の場合、壁122の内部表面は、流体Aを引きつけて流体Bを引きつけないようにするために親水性となるだろう。
【００４１】
メニスカス150の周辺は管の側壁の表面120と接する。メニスカスの周辺は表面120上で固定されて設置されている。換言すれば、メニスカス150の周辺が表面120に触れる位置151は固定されている。つまり、メニスカス周辺は表面で固定されている。この特別な実施例では、メニスカス周辺は位置151での表面の濡れ性の急激な変化によって、表面に固定されている。たとえば位置151では、表面120は疎水性から親水性へと変化する。
【００４２】
メニスカス150の形状は、二の流体間の圧力差及び、円柱の内径によって決定される。図示されたメニスカス150は凸面である（流体Aから見て）。
【００４３】
流体が満たされたチャンバ125と接続するポンプ110は、一以上の流体をチャンバ125へ送り出し、かつ流体をチャンバ125から送り込むように備えられている。
【００４４】
この特別な実施例では、チャンバ125内部の二の流体の全容積が同一となるように、ポンプ110は、流体Aの容積増大と流体Bの容積減少（逆についても同様）を同時に行うように備えられている。その結果、メニスカス周辺は表面120に固定されているので、メニスカス150の形状が変化する。
【００４５】
たとえば、余分な流体Aがチャンバ125に加えられるとき、メニスカス形状はより凸面になる、つまり破線150’で示されたメニスカスを形成するだろう。あるいはその代わりに、余分な流体Bが加えられる場合、メニスカスはその形状を、破線150’’で示された形状に変化させる、つまり凹面（流体Aから見て）になるだろう。チャンバ125内部の流体容積を変化させることで、メニスカス形状は、凸面から平面、そして凹面へと変化させることが可能となる。
【００４６】
メニスカスが半球形状のときに、曲率が最大になるものと期待される。しかし圧力がメニスカスを固定する作用を超えてしまうほどに大きくなるとき、メニスカスが変動する場所で閾値圧力に到達しやすくなり、結果としてメニスカスがその位置を変えてしまうことが分かる。そのような閾値圧力は濡れ性の変化の大きさに依存する。
【００４７】
図4Bは、流体Aの屈折率が流体Bの屈折率よりも大きく、メニスカス150、つまり平凸レンズ160の焦点距離がfのときの実効的な光学機能を図示している。換言すると、メニスカス150は実効的に、平行光170（光軸90に平行な方向でレンズに入射する）をレンズからの距離fの焦点172に集光するというレンズ160の機能を提供する。
【００４８】
メニスカスが形状を変化させる（つまり、図4Aの破線150’で図示された形状になる）とき、実効的なレンズ機能もまた、破線160’で図示された形状に変化する。メニスカス150’はメニスカス150よりもより曲率が大きくなっているので、レンズパワーはより大きくなる、つまりメニスカス160’はより短い焦点距離を有することで、平行光170を、レンズからの距離がより短い焦点172’に集光する。
【００４９】
図4Aで図示された実施例では、メニスカス150は表面の濡れ性変化によって固定されて設けられている。しかし、他の技術をメニスカス周辺の位置を固定するのに用いて良いことは明らかである。
【００５０】
図5で図示されているように、未刊行特許文献3で説明されている別な型の典型的可変焦点レンズは多くの点で図4A及び図4Bの可変焦点レンズと似ているため、これらの同様の素子については同一参照符号が付されている。
【００５１】
よって図5Aで図示された可変レンズでは、レンズ100は、二の明確に異なる素子から構成されているものと見なすことができる。レンズ機能は、二の流体AとBとの間にあるメニスカス、及びレンズ機能の位置を変化させるために備えられているポンプ110で構成されている。
【００５２】
繰り返すと、流体とは以下のような性質を有する物質である。1.力に応答してその形状を変化させる、2.流動すなわちチャンバ外形に合わせようとする、そして、3.気体、液体、蒸気及び流動可能な固体と液体との混合物が含まれる。
【００５３】
前述のように、二の流体AとBは実質的に非混和、つまり二の流体は混じり合わない。二の流体AとBはそれぞれ異なる屈折率を有する。流体が各異なる屈折率を有するため、従ってレンズ機能は二の流体の接触領域に沿って形成されるメニスカス150によって供される。レンズ機能とは、メニスカス150が一以上の波長の光の焦点を合わせる（集束又は発散）能力のことである。
【００５４】
レンズ100への重力効果を最小限にするため、二の流体は実質的に等密度であることが好ましい。
【００５５】
流体A及び流体Bはチャンバ125内部で密閉されている。この実施例では、チャンバ125は内部表面又は側壁120によって画定された長手方向に延在する管の形状をとる。光軸は管の長手方向に延在する。この特別な例では、チャンバは断面が一定の円である円柱管であって、光軸は管軸と共軸である。流体を密閉するチャンバ125を形成するため、付加的壁121及び付加的壁122は管終端部まで延在する。光軸90に沿って横たわっているチャンバ125の壁121及び壁122の少なくとも一部は透明である。
【００５６】
二の流体AとBとの間のメニスカス150はレンズ100の光軸90を横切るように延在する。横切る、という語は、メニスカスが光軸と交差（するように延在）し、メニスカスは光軸と平行にはならないことを意味する。メニスカス150は管の側壁120によって画定される。
【００５７】
典型的には、流体A及び流体Bをチャンバ125内の所望の部分に設置するためには、チャンバの各異なる領域は、各流体が各対応する領域で引きつけられるように、各流体に対して各異なる濡れ性を有することになる。濡れ性とは、領域が流体によって濡れる（被覆される）程度を意味する。たとえば、流体Aが極性流体で、流体Bが無極性流体の場合、壁122の内部表面は、極性流体Aを引きつけて無極性流体Bを引きつけないようにするために親水性となるだろう。
【００５８】
メニスカス150の形状はメニスカス端と内部表面120との接触角によって決定される。従って、メニスカス形状は表面120の濡れ性に依存する。図示されたメニスカス150は凸面（流体Aから見て）だが、メニスカスはたとえば凸面、凹面又は実質的に平面のような、任意の形状であって良い。
【００５９】
流体が満たされたチャンバ125と接続するポンプ110は、一以上の流体をチャンバ125へ送り出し、かつ流体をチャンバ125から送り込むように備えられている。この特別な実施例では、チャンバ125内部の二の流体の全容積が同一となるように、ポンプ110は、流体Aの容積増大と流体Bの容積減少（逆についても同様）を同時に行うように備えられている。その結果、各対応する流体Aが加えられるので、メニスカス150は光軸90に沿って移動する。たとえば、余分な流体Aが加えられるとき、メニスカスは光軸に沿って、破線150’で示された位置まで距離Xだけ移動するだろう。この特別実施例では、メニスカスの形状はこの移動によっては変化せず（表面120の濡れ性が均一のため）、光軸90に沿ったメニスカスの位置のみが変化する。
【００６０】
図5Bは、焦点距離がfのメニスカス150つまり平凸レンズ160によって供される実効的な光学機能を図示している。換言すると、メニスカス150は実効的に、平行光170（光軸90に平行な方向でレンズに入射する）をレンズからの距離fの焦点172に集光するというレンズ160の機能を提供する。
【００６１】
メニスカスが移動するとき（つまり図5の破線150’で図示された位置に）、レンズの実効的位置もまた破線160’で図示された位置へ移動する。メニスカス150及びメニスカス150’が同一形状のため、二のメニスカスは同一のレンズ形状160及び160’を有する（そしてその結果、同一レンズ特性、つまり同一パワー及び同一焦点距離を有する）。
【００６２】
図5Aは、メニスカスが位置150から位置150’へ距離Xだけ移動するときの様子を図示している。同様に、レンズ機能160’もまた、レンズ機能160を左に移動させたものと等価である。図5Bの光線図が、真空中での等価な機能を図示している場合、160’は160を左に距離Yだけ移動させたものとなる。ここで、Y=X/nAで、nAは流体Aの屈折率である。
【００６３】
図6及び図7を参照すると、未刊行の特許文献4で説明されている可変焦点レンズであって、チャンバ開口部22及び開口部23を介して、二の互いに反対側にある端部を有する導管24と接続するチャンバ20が図示されている。接続していることで、流体は導管とチャンバとを移動することができる。流体系をしっかりと密閉するため、チャンバの第1開口部22は導管の第1終端部と接続し、チャンバの第2開口部23は導管の第2終端部と接続することで、流体がチャンバと導管とを移動できるようになっている。チャンバ20の一の側は、チャンバ20内部に露出されている面を有する部分28を有する波面調節器26によって密閉されている。波面調節器は、たとえば水溶液に不溶なシクロオレフィンコポリマー(COC)であるZeonex（登録商標）のような透明材料から構成される。これはたとえば、注入モールドプロセスによって形成されて良い。波面調節器26の一部28の面は実質的に非球面で、光軸OAに対して回転対称である。
【００６４】
チャンバ20はさらに、たとえば先ほど同様にZeonex（商標）のような透明材料から構成される別な波面調節器36を有する被覆板によって密閉され、異なる部分32を有する。異なる部分32は、透明であって、たとえばデュポン社（商標）が製造するテフロン（登録商標）AF1600（商標）で作製される疎水性流体接触層によって被覆されている。この疎水性流体接触層の一の面はチャンバ20内部に露出されている。
【００６５】
異なる部分32は非球面でかつ光軸OAに対して回転対称の面を有する。異なる部分32の面は非球面の曲面を有し、それぞれは部分28の非球面の曲面とは異なっている。
【００６６】
光軸OAに沿って進行する所与の放射ビームは、部分28及びそれとは異なる部分32を通過するように備えられている。波面調節器26は第1波面調節を、別な波面調節器は第2の異なる波面調節を、所与の放射ビームに対して実行する。第2波面調節は第1波面調節を補足するように設定されている。
【００６７】
たとえば金属から構成される共通の第1流体電極50は、チャンバの一の開口部22近傍の導管24内に設置される。
【００６８】
第2流体電極34は、被覆板36と疎水性流体接触層との間にある。この第2流体電極34はたとえばインジウムスズ酸化物(ITO)のような透明な導電性材料のシートで構成される。たとえばパリレンで構成される絶縁層（図示していない）は、流体接触層と第2流体電極34との間に形成されて良い。第2電極34は、波面調節器26の一部28の面によって占められる領域と完全に重なる動作領域を有することは留意されなくてはならない。疎水性流体接触層は、波面調節器の一部28の面によって占められる領域と完全に重なる表面を有する。
【００６９】
密閉された流体系は、第1流体A及び第2流体Bを有する。第1流体Aは、極性の及び/又は導電性の流体を有する。この例では、第1流体Aは液体でかつ、約1.37の第1所定屈折率を有する食塩水である。食塩水は、非食塩水よりも低い凝固点を有する。この例における第2流体は、気体でかつ、約1の値の、第1屈折率とは異なる第2屈折率を有する空気を有するのが好ましい。第1流体A及び第2流体Bは二の流体メニスカス48及び49で、互いに接した状態で存在する。
【００７０】
切り替え可能な光学素子の第1流体配置では、図6及び図7で図示されているように、第1流体Aは、チャンバ20及び導管24の一部を実質的に満たしている。実質的に満たすということは、第1流体Aは波面調節器26の一部28の少なくともほとんどの領域を被覆し、波面調節器36の一部32の少なくともほとんどの領域を被覆するということを意味する。この第1流体配置では、第1流体は、チャンバ内で、疎水性流体接触層の露出表面のすくなくともほとんどの領域と接触する。第1流体電極50は、第1流体Aによって満たされる導管の一部と接触した状態で存在する。
【００７１】
導管24は、導管壁41と導管被覆板42との間に形成される。導管被覆板は、導管内部の一の表面に露出されている疎水性流体層38によって被覆される。疎水性流体接触層はたとえばAF1600（商標）で構成される。第3流体電極40は、導管被覆板42と疎水性流体接触層38との間に存在する。この電極は、たとえばスズ酸化物(ITO)のような導電性材料から構成される。第3流体電極40が、導管24内部のほとんどの領域と重なる表面領域を有するということは留意されなくてはならない。
【００７２】
素子の第1流体配置では、第2流体Bは実質的に導管24を満たす。ただし、共通である第1流体電極50と接している第1流体Aによって満たされている部分を除く。
【００７３】
切り替え可能な光学素子の第2配置では、図8及び図9で図示されているように、第1流体Aは実質的に導管24を満たす。この第2流体配置では、第1流体Aは、先述した導管部分に存在する、共通の第1流体エレクトロウエッティング電極50と接した状態であり続ける。第1流体Aはここで、導管の疎水性流体接触層38と接した状態にある。第2流体Bはここで、第2流体49が、波面調節器26の一部28の面の少なくともほとんど、及び波面調節器36の一部32の面の少なくともほとんどを被覆するように、チャンバ20を実質的に満たす。加えて、導管24の一部は第2流体Bによって満たされる。導管24のこの部分は、共通の第1流体電極50が設けられている部分への、互いに反対側にある終端部である。第2流体配置では、第1流体電極50は、導管24の一部を満たす第1流体Aと接した状態で存在する。
【００７４】
流体切り替えシステム（図示していない）は、共通の第1流体電極、第2流体電極及び第3流体電極と接続している。流体切り替えシステムは切り替え可能な光学素子に作用し、第1流体配置と第2流体配置とを切り替えるように備えられている。第1流体配置では、流体切り替えシステムは、共通の第1流体電極50及び第2流体電極34に適切な値の電圧V1を印加するように備えられている。印加電圧V1は、切り替え可能なエレクトロウエッティング力を与える。それにより、本発明の切り替え可能な光学素子は、導電性第1流体48が移動することでチャンバ20を実質的に満たすことを特徴とする第1流体配置を採ろうとする。印加電圧V1の結果、チャンバ20の疎水性流体接触層は事実上、少なくとも比較的親水性となるので、第1流体Aが存在できるようになることで、チャンバ20が実質的に第1流体Aで満たされる。第1流体配置の間は、導管中の流体接触層の高疎水性を維持するように、共通の第1電極及び第3エレクトロウエッティング電極40には電圧が印加されない。
【００７５】
切り替え可能な光学素子の第1流体配置と第2流体配置とを切り替えるため、流体切り替えシステムは印加電圧V1をオフにして、共通の第1流体電極50及び第3流体電極40に適切な値の第2印加電圧V2を印加する。共通の第1流体電極50及び第2流体電極34には電圧は印加されない。
【００７６】
切り替え可能な光学素子はここで、第2流体配置の状態にある。この状態では、印加電圧V2によって供される切り替え可能なエレクトロウエッティング力の結果として、第1流体Aは実質的に導管24を満たす。印加電圧V2によって、導管24の疎水性流体接触層38はここで、少なくとも比較的親水性となり、第1流体Aを引きつけようとする。第1流体Aは移動することで、共通の第1流体電極50が設けられている導管24の一部を満たす。先述したように、第2流体49はここでチャンバ20を実質的に満たす。チャンバ20の疎水性流体接触層はここで、比較的高い疎水性を有し、第2流体配置での第2流体の配置を促進する。
【００７７】
流体切り替えシステムによる制御によって、素子の第1流体配置と第2流体配置とが遷移する間、流体系の第1流体A及び第2流体Bは、流体系を循環するように流れる。各流体は相互に変動する。第1流体配置と第2流体配置とが遷移する間でのこの循環した流体の流動では、第1流体Aは、チャンバの一の開口部22を介してチャンバ20から導管24の一の終端部へ流出する。同時に、第2流体49は、チャンバの他の開口部23を介して導管24の他終端部からチャンバ20へ流入する。第2流体配置から第1流体配置へ遷移する間、先ほどとは反対と流体の流動が生じる。
【００７８】
よって第1流体配置から第2流体配置へ変化するとき、第3流体電極40及び共通の第1流体電極50への印加電圧V2は、導電性第1流体Aをチャンバ内へ引き込むので、絶縁性の第2流体Bはチャンバ20の外へ移動する。それに加えて、チャンバ20の疎水性流体接触層32は、チャンバ20の外から導管24に流入する導電性第1流体Aをはじく。第2流体配置から第1流体配置への遷移は、第1流体配置から第2流体配置への遷移の逆である。
【００７９】
繰り返しになるが上述したように、二の流体の屈折率は異なり、良好なズーム機能を得る上では二の流体の屈折率差が比較的大きな場合に特に有利となる。たとえ非導電性液体（たとえば油）は導電性流体（つまり電解質）よりも高い屈折率を有する傾向にあることが本質的でないとしても、このことに留意する。高屈折率（約1.7を超えた値）を有する油の多くは無色ではなく、黄色になる傾向がある（たとえば二硫化セレンの場合であれば、屈折率n=1.85で、その色は黄色である）。しかしこれにより、物体それ自体に対し物体像の色が変化してしまい、それによってエレクトロウエッティング型可変焦点レンズに使用可能な高屈折率の油が制限されてしまう。
【００８０】
本発明は、第1流体及び/又は第2流体として非無色流体を使用することによって生じる、物体それ自体に対する物体像の色変化を補正すなわち補償することで上述の問題を解決するために提案される。本発明では、流体の各屈折率は異なり、可変焦点レンズのレンズ機能は選択的に制御可能である。
【００８１】
この色補正/補償は、本発明に従った様々な方法で実現することが可能である。そのうちのいくつかについてここで詳述する。
【００８２】
たとえば、電子像センサが使用されるような（従来の写真フィルムとは対照的に）場合、所謂ホワイトバランスを像センサ中で電子的に調節することが可能である。この特定例で、青色光を吸収する黄色の油が可変焦点レンズに使用される場合）、黄色及び緑色の画素中に生成される信号を電子的に減少させることが可能である。しかし、概略図10aと概略図10bとを比較すると、レンズ位置の変化に伴って、油層Aの厚さが変化し、それにより黄色油の像への色変化効果の大きさが変化してしまう。この問題は、実際のレンズ位置又は流体層の厚さを測定し（たとえばキャパシタンス又は電圧を測定する）、油層の測定厚さに従ったセンサの出力信号を補正することで解決可能である。
【００８３】
非無色流体を可変焦点レンズに使用することで生じる色変化を補正すなわち補償する、他に考えられる方法では、色素又は同様の物質を非無色流体に加えることで、像の色に対する望ましくない効果に対抗する。よって繰り返しになるが、黄色の油が使用され、この黄色の油が青色光の部分を吸収する場合、緑色光及び黄色光の部分を吸収する色素を油中で溶解できる。適切な色素は当業者には明らかである。このようにして、電子的補正の必要性はなくなり、上述の油層厚さの変化は色スペクトルに影響しない。
【００８４】
本発明に従った色補正すなわち補償方法でさらに別なものでは、非無色流体に関連した色変化効果に対抗してするため、適切な色フィルタを使用して良い。よって繰り返しになるが、黄色の油が使用され、この黄色の油が青色光の部分を吸収する場合、緑色光及び黄色光の部分を吸収する色フィルタを光路中に設置することが可能である。しかしこの場合では、メニスカスの変化が流体層の厚さを変化させるので、依然として電子的に補正する必要はある。
【００８５】
他の方法は、他の流体つまり上述の配置における電解質に、非無色流体（たとえば油）として同一の色吸収レベル及び同一の色吸収型を有する色素を溶解する方法である。その結果、部分的に吸収される青色光は、電子的手段すなわち固体フィルタの使用又は、両方の流体に他の色素を溶解させることで補正することが可能である。上述のように、たとえこの解決法を用いることで、単純に色素を非無色流体に加えるときよりも多くの光が失われるという不利益があるとしても、流体層の厚さ変化の補正すなわち補償は必要ない。
【００８６】
別な実施例では、レンズは、装置の絞りがメニスカスの位置に近接するように設計されて良い。非無色流体による一部の光の吸収は流体の配置とは独立であり、センサ装置全体の色補正のみが必要である。必要であれば、この補正は、様々なメニスカスの曲率について調節可能である。
【００８７】
さらに別な実施例では、格納容器の壁は、非無色油層の厚さが、様々な流体の配置に対して実質的に同一となるように、既定の配置で形状を有して良い。穏やかなメニスカスの形状変化のみが必要な場合では、センサ全体の色補正のみが必要となる。
【００８８】
ここで図11から図13を参照して、図1から図3を参照して説明された型のエレクトロウエッティングレンズの、図11から図13にそれぞれ対応する実施例についてここで説明する。なお、図11から図13で使用される参照番号は、図1から図3の配置に対して同様の素子については同一の参照番号が使用されている。
【００８９】
よって図11では、エレクトロウエッティングの原理に基づく可変焦点レンズが概略的に図示されている。図示されているように、図11aで図示されている配置から図11bで図示されている配置に切り替わることで、メニスカス14の凹面が減少するとき、流体層Aの厚さは非常にわずかしか変化しない。さらに、センサ全体の色補正の固定レベルが十分なもので、かつ画素毎の補正が必要なくなるように、主ビーム100及び周縁ビーム200は切り替えの結果によっても大きく変化しない。上で提案された色補正における最も単純な形式である、像センサのホワイトバランスを電子的に調節する方法、を使用して良い。
【００９０】
図12は、エレクトロウエッティングの原理に基づくズームレンズを図示している。それにより、流体層Aの厚さ変化は、図12aのズーム条件と図12bのズーム条件との間でより大きなものとなる。さらに層の厚さは、周縁ビーム200に対してよりも主ビーム100に対してより異なっている。このことは、センサレベルでは最も単純な形式の色補正が不適切で、画素毎そしてズーム配置毎の補正が必要となることを意味する。この場合では、上述のような、色素が非無色流体A及び/又は第2流体Bに加えられる方法が使用されて良い。
【００９１】
図13は、バイナリエレクトロウエッティングレンズを有するズームレンズを図示している。ここで、非無色流体による光の吸収は、少なくともバイナリレンズについては、ただ穏やかに切り替えに依存する。その理由は、バイナリレンズの空洞(cavity)は同一のままだからである。平均すると、周縁ビーム200は、全ビームが平均されるときと同程度の液体を通過する。よって、バイナリレンズのうちの流体Aのみが非無色の場合、先に提案された色補正方法のうちの最も単純な形式である、所謂ホワイトバランスを像センサ中で電子的に調節することが可能な方法を使用して良い。可変焦点レンズにおける様々な配置を設計する方法及び、その際に考慮されるべき因子は数多くあり、それらは当業者には明らかである。
【図面の簡単な説明】
【００９２】
【図１】典型的な可変焦点レンズすなわち“エレクトロウエッティング”レンズの動作原理を図示する概略的断面図である。
【図２】典型的な可変焦点レンズすなわち“エレクトロウエッティング”レンズの動作原理を図示する概略的断面図である。
【図３】典型的な可変焦点レンズすなわち“エレクトロウエッティング”レンズの動作原理を図示する概略的断面図である。
【図４Ａ】他の典型的な可変焦点レンズの動作原理を図示する概略的断面図である。このレンズによって同等な光学的機能が供される。
【図４Ｂ】他の典型的な可変焦点レンズの動作原理を図示する概略的断面図である。このレンズによって同等な光学的機能が供される。
【図５Ａ】さらに他の典型的な可変焦点レンズの動作原理を図示する概略的断面図である。
【図５Ｂ】図5Aの可変焦点レンズと同等の光学的機能を概略的に図示している。
【図６】第1流体が備えられている状態の、他の典型的可変焦点レンズの概略的断面図を図示している。
【図７】第1流体が備えられている状態の、他の典型的可変焦点レンズの概略的断面図を図示している。
【図８】第2流体が備えられている状態の、図6及び図7の典型的可変焦点レンズの概略的断面図を図示している。
【図９】第2流体が備えられている状態の、図6及び図7の典型的可変焦点レンズの概略的断面図を図示している。
【図１０ａ】二のレンズ位置がそれぞれ異なっているため、流体層の厚さが異なる可変焦点レンズの概略的断面図を図示している。
【図１０ｂ】二のレンズ位置がそれぞれ異なっているため、流体層の厚さが異なる可変焦点レンズの概略的断面図を図示している。
【図１１ａ】本発明の第1典型的実施例に従ったエレクトロウエッティングレンズの概略的断面図を図示している。
【図１１ｂ】本発明の第1典型的実施例に従ったエレクトロウエッティングレンズの概略的断面図を図示している。
【図１２ａ】本発明の第2典型的実施例に従ったエレクトロウエッティングレンズの概略的断面図を図示している。
【図１２ｂ】本発明の第2典型的実施例に従ったエレクトロウエッティングレンズの概略的断面図を図示している。
【図１３ａ】本発明の第3典型的実施例に従ったエレクトロウエッティングレンズの概略的断面図を図示している。
【図１３ｂ】本発明の第3典型的実施例に従ったエレクトロウエッティングレンズの概略的断面図を図示している。
【図１】
2007531052.tif 000003
【図２】
2007531052.tif 000004
【図３】
2007531052.tif 000005
【図４Ａ】
2007531052.tif 000006
【図４Ｂ】
2007531052.tif 000007
【図５Ａ】
2007531052.tif 000008
【図５Ｂ】
2007531052.tif 000009
【図６】
2007531052.tif 000010
【図７】
2007531052.tif 000011
【図８】
2007531052.tif 000012
【図９】
2007531052.tif 000013
【図１０ａ】
2007531052.tif 000014
【図１０ｂ】
2007531052.tif 000015
【図１１ａ】
2007531052.tif 000016
【図１１ｂ】
2007531052.tif 000017
【図１２ａ】
2007531052.tif 000018
【図１２ｂ】
2007531052.tif 000019
【図１３ａ】
2007531052.tif 000020
【図１３ｂ】
2007531052.tif 000021
【国際調査報告】
2007531052.tif 000022
2007531052.tif 000023
2007531052.tif 000024